【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
コンテンツデータを記録媒体に記録する記録部と、
上記記録媒体からデータを再生する再生部と、
上記記録媒体に記録される上記コンテンツデータに対し、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルとを生成するように制御する制御部と
を有し、
上記制御部は、
上記コンテンツデータの上記記録媒体への記録に応じて、上記プレイリストの生成時に該プレイリストが属する上記タイトルを示す情報を上記プレイリストのそれぞれについて上記プレイリストの記録順に格納するテーブルを生成し、上記クリップ情報と、上記プレイリストと、上記オブジェクトと、上記インデックステーブルと、上記テーブルとを上記記録媒体に記録するように上記記録部を制御し、
上記クリップ情報と、上記プレイリストと、上記オブジェクトと、上記インデックステーブルと、上記テーブルとからなるデータ構造を上記タイトル単位で編集可能に制御し、
上記再生部により上記記録媒体から上記コンテンツデータを再生する際に、該記録媒体から読み出した、上記インデックステーブル上の上記タイトルの並びと、上記テーブルに格納されるメニューを再生するための上記プレイリスト以外の上記プレイリストの上記タイトルを示す情報の並びとが対応しないときに、
上記プレイリストの再生を、上記インデックステーブル上の上記タイトルの並びに応じて行うように制御する情報処理装置。
【請求項２】
上記制御部は、
上記テーブルに、上記プレイリストを識別する情報と、上記プレイリストを生成する目的に基づく種類を示す情報とをさらに格納するように制御する
請求項１に記載の情報処理装置。
【請求項３】
上制御部は、
上記インデックステーブル上の上記タイトルの並びに従い上記タイトルの一覧を表示するための表示信号を生成させる表示制御信号を生成するように制御する
請求項１に記載の情報処理装置。
【請求項４】
上記制御部は、
上記インデックステーブル上の上記タイトルの並びと、上記テーブルに格納されるメニューを再生するための上記プレイリスト以外の上記プレイリストの上記タイトルを示す情報の並びとが対応しないときに、
上記クリップ情報、上記プレイリスト、上記オブジェクトおよび上記インデックステーブルを変更しないように制御する請求項１に記載の情報処理装置。
【請求項５】
コンテンツデータを記録媒体に記録する記録のステップと、
上記記録媒体からデータを再生する再生のステップと、
上記記録媒体に記録される上記コンテンツデータに対し、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルとを生成するように制御する制御のステップと
を有し、
上記制御のステップは、
上記コンテンツデータの上記記録媒体への記録に応じて、上記プレイリストの生成時に該プレイリストが属する上記タイトルを示す情報を上記プレイリストのそれぞれについて上記プレイリストの記録順に格納するテーブルを生成し、上記クリップ情報と、上記プレイリストと、上記オブジェクトと、上記インデックステーブルと、上記テーブルとを上記記録媒体に記録するように上記記録のステップを制御し、
上記クリップ情報と、上記プレイリストと、上記オブジェクトと、上記インデックステーブルと、上記テーブルとからなるデータ構造を上記タイトル単位で編集可能に制御し、
上記再生のステップにより上記記録媒体から上記コンテンツデータを再生する際に、該記録媒体から読み出した、上記インデックステーブル上の上記タイトルの並びと、上記テーブルに格納されるメニューを再生するための上記プレイリスト以外の上記プレイリストの上記タイトルを示す情報の並びとが対応しないときに、
上記プレイリストの再生を、上記インデックステーブル上の上記タイトルの並びに応じて行うように制御する情報処理方法。
【請求項６】
コンテンツデータを記録媒体に記録する記録のステップと、
上記記録媒体からデータを再生する再生のステップと、
上記記録媒体に記録される上記コンテンツデータに対し、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルとを生成するように制御する制御のステップと
を有し、
上記制御のステップは、
上記コンテンツデータの上記記録媒体への記録に応じて、上記プレイリストの生成時に該プレイリストが属する上記タイトルを示す情報を上記プレイリストのそれぞれについて上記プレイリストの記録順に格納するテーブルを生成し、上記クリップ情報と、上記プレイリストと、上記オブジェクトと、上記インデックステーブルと、上記テーブルとを上記記録媒体に記録するように上記記録のステップを制御し、
上記クリップ情報と、上記プレイリストと、上記オブジェクトと、上記インデックステーブルと、上記テーブルとからなるデータ構造を上記タイトル単位で編集可能に制御し、
上記再生のステップにより上記記録媒体から上記コンテンツデータを再生する際に、該記録媒体から読み出した、上記インデックステーブル上の上記タイトルの並びと、上記テーブルに格納されるメニューを再生するための上記プレイリスト以外の上記プレイリストの上記タイトルを示す情報の並びとが対応しないときに、
上記プレイリストの再生を、上記インデックステーブル上の上記タイトルの並びに応じて行うように制御する情報処理方法をコンピュータ装置に実行させる情報処理プログラム。
【請求項７】
コンテンツデータを記録媒体に記録する記録部と、
上記記録媒体からデータを再生する再生部と、
上記記録媒体に記録される上記コンテンツデータに対し、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルとを生成するように制御する制御部と
を有し、
上記制御部は、
上記コンテンツデータの上記記録媒体への記録に応じて、上記プレイリストの生成時に該プレイリストが属する上記タイトルを示す情報を上記プレイリストのそれぞれについて上記プレイリストの記録順に格納するテーブルを生成し、上記クリップ情報と、上記プレイリストと、上記オブジェクトと、上記インデックステーブルと、上記テーブルとを上記記録媒体に記録するように上記記録部を制御し、
上記クリップ情報と、上記プレイリストと、上記オブジェクトと、上記インデックステーブルと、上記テーブルとからなるデータ構造を上記タイトル単位で編集可能に制御し、
上記再生部により上記記録媒体から上記コンテンツデータを再生する際に、該記録媒体から読み出した、上記インデックステーブル上の上記タイトルの並びと、上記テーブルに格納されるメニューを再生するための上記プレイリスト以外の上記プレイリストの上記タイトルを示す情報の並びとが対応しないときに、
上記テーブルに格納される、上記プレイリストの生成時に該プレイリストが属するタイトルを示す情報に基づき、上記インデックステーブル上の上記タイトルの並びを変更するように制御する情報処理装置。
【請求項８】
上記制御部は、
上記テーブルに、上記プレイリストを識別する情報と、上記プレイリストを生成する目的に基づく種類を示す情報とをさらに格納するように制御する請求項７に記載の情報処理装置。
【請求項９】
上制御部は、
上記テーブルに格納される、上記プレイリストの生成時に該プレイリストが属するタイトルを示す情報に基づき変更された上記インデックステーブル上の上記タイトルの並びに従い、上記タイトルの一覧を表示するための表示信号を生成させる表示制御信号を生成するように制御する請求項７に記載の情報処理装置。
【請求項１０】
コンテンツデータを記録媒体に記録する記録のステップと、
上記記録媒体からデータを再生する再生のステップと、
上記記録媒体に記録される上記コンテンツデータに対し、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルとを生成するように制御する制御のステップと
を有し、
上記制御のステップは、
上記プレイリストの生成時に該プレイリストが属する上記タイトルを示す情報を上記プレイリストのそれぞれについて上記プレイリストの記録順に格納するテーブルを生成し、上記クリップ情報と、上記プレイリストと、上記オブジェクトと、上記インデックステーブルと、上記テーブルとを上記記録媒体に記録するように上記記録のステップを制御し、
上記クリップ情報と、上記プレイリストと、上記オブジェクトと、上記インデックステーブルと、上記テーブルとからなるデータ構造を上記タイトル単位で編集可能に制御し、
上記再生のステップにより上記記録媒体から上記コンテンツデータを再生する際に、該記録媒体から読み出した、上記インデックステーブル上の上記タイトルの並びと、上記テーブルに格納されるメニューを再生するための上記プレイリスト以外の上記プレイリストの上記タイトルを示す情報の並びとが対応しないときに、
上記テーブルに格納される、上記プレイリストの生成時に該プレイリストが属するタイトルを示す情報に基づき、上記インデックステーブル上の上記タイトルの並びを変更するように制御する情報処理方法。
【請求項１１】
コンテンツデータを記録媒体に記録する記録のステップと、
上記記録媒体からデータを再生する再生のステップと、
上記記録媒体に記録される上記コンテンツデータに対し、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルとを生成するように制御する制御のステップと
を有し、
上記制御のステップは、
上記プレイリストの生成時に該プレイリストが属する上記タイトルを示す情報を上記プレイリストのそれぞれについて上記プレイリストの記録順に格納するテーブルを生成し、上記クリップ情報と、上記プレイリストと、上記オブジェクトと、上記インデックステーブルと、上記テーブルとを上記記録媒体に記録するように上記記録のステップを制御し、
上記クリップ情報と、上記プレイリストと、上記オブジェクトと、上記インデックステーブルと、上記テーブルとからなるデータ構造を上記タイトル単位で編集可能に制御し、
上記再生のステップにより上記記録媒体から上記コンテンツデータを再生する際に、該記録媒体から読み出した、上記インデックステーブル上の上記タイトルの並びと、上記テーブルに格納されるメニューを再生するための上記プレイリスト以外の上記プレイリストの上記タイトルを示す情報の並びとが対応しないときに、
上記テーブルに格納される、上記プレイリストの生成時に該プレイリストが属するタイトルを示す情報に基づき、上記インデックステーブル上の上記タイトルの並びを変更するように制御する情報処理方法をコンピュータ装置に実行させる情報処理プログラム。
【請求項１２】
コンテンツデータを記録媒体に記録する記録部と、
上記記録媒体からデータを再生する再生部と、
上記記録媒体に記録される上記コンテンツデータに対し、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルとを生成するように制御する制御部と
を有し、
上記制御部は、
上記コンテンツデータの上記記録媒体への記録に応じて、上記プレイリストの生成時に該プレイリストが属する上記タイトルを示す情報を上記プレイリストのそれぞれについて上記プレイリストの記録順に格納するテーブルを生成し、上記クリップ情報と、上記プレイリストと、上記オブジェクトと、上記インデックステーブルと、上記テーブルとを上記記録媒体に記録するように上記記録部を制御し、
上記クリップ情報と、上記プレイリストと、上記オブジェクトと、上記インデックステーブルと、上記テーブルとからなるデータ構造を上記タイトル単位で編集可能に制御し、
上記再生部により上記記録媒体から上記コンテンツデータを再生する際に、上記テーブルに格納される上記タイトルを示す情報に基づき、上記インデックステーブル上の上記タイトルの並びに、生成時の上記プレイリストに対して上記タイトルの欠番があるとされた場合、
上記プレイリストの生成時に該プレイリストが属するタイトルを示す情報に基づき、上記欠番のタイトルを上記プレイリストの記録順に従い生成すると共に、生成された該タイトルに対応する上記オブジェクトおよび上記プレイリストを新規に生成するように制御する情報処理装置。
【請求項１３】
上記制御部は、
上記テーブルに、上記プレイリストを識別する情報と、上記プレイリストを生成する目的に基づく種類を示す情報とをさらに格納するように制御する
請求項１２に記載の情報処理装置。
【請求項１４】
上記制御部は、
上記テーブルに格納される、上記プレイリストの生成時に該プレイリストが属するタイトルを示す情報に基づき、上記タイトルおよび上記欠番のタイトルの一覧を上記記録順に従い表示するための表示信号を生成させる表示制御信号を生成するように制御する
請求項１２に記載の情報処理装置。
【請求項１５】
上記制御部は、
上記欠番のタイトルを、該欠番のタイトルが上記記録媒体上に存在しないことを示す情報を用いて表示するように制御する請求項１２に記載の情報処理装置。
【請求項１６】
コンテンツデータを記録媒体に記録する記録のステップと、
上記記録媒体からデータを再生する再生のステップと、
上記記録媒体に記録される上記コンテンツデータに対し、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルとを生成するように制御する制御のステップと
を有し、
上記制御のステップは、
上記コンテンツデータの上記記録媒体への記録に応じて、上記プレイリストの生成時に該プレイリストが属する上記タイトルを示す情報を上記プレイリストのそれぞれについて上記プレイリストの記録順に格納するテーブルを生成し、上記クリップ情報と、上記プレイリストと、上記オブジェクトと、上記インデックステーブルと、上記テーブルとを上記記録媒体に記録するように上記記録のステップを制御し、
上記クリップ情報と、上記プレイリストと、上記オブジェクトと、上記インデックステーブルと、上記テーブルとからなるデータ構造を上記タイトル単位で編集可能に制御し、
上記再生のステップにより上記記録媒体から上記コンテンツデータを再生する際に、上記テーブルに格納される上記タイトルを示す情報に基づき、上記インデックステーブル上の上記タイトルの並びに、生成時の上記プレイリストに対して上記タイトルの欠番があるとされた場合、
上記プレイリストの生成時に該プレイリストが属するタイトルを示す情報に基づき、上記欠番のタイトルを上記プレイリストの記録順に従い生成すると共に、生成された該タイトルに対応する上記オブジェクトおよび上記プレイリストを新規に生成するように制御する情報処理方法。
【請求項１７】
コンテンツデータを記録媒体に記録する記録のステップと、
上記記録媒体からデータを再生する再生のステップと、
上記記録媒体に記録される上記コンテンツデータに対し、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルとを生成するように制御する制御のステップと
を有し、
上記制御のステップは、
上記コンテンツデータの上記記録媒体への記録に応じて、上記プレイリストの生成時に該プレイリストが属する上記タイトルを示す情報を上記プレイリストのそれぞれについて上記プレイリストの記録順に格納するテーブルを生成し、上記クリップ情報と、上記プレイリストと、上記オブジェクトと、上記インデックステーブルと、上記テーブルとを上記記録媒体に記録するように上記記録のステップを制御し、
上記クリップ情報と、上記プレイリストと、上記オブジェクトと、上記インデックステーブルと、上記テーブルとからなるデータ構造を上記タイトル単位で編集可能に制御し、
上記再生のステップにより上記記録媒体から上記コンテンツデータを再生する際に、上記テーブルに格納される上記タイトルを示す情報に基づき、上記インデックステーブル上の上記タイトルの並びに、生成時の上記プレイリストに対して上記タイトルの欠番があるとされた場合、
上記プレイリストの生成時に該プレイリストが属するタイトルを示す情報に基づき、上記欠番のタイトルを上記プレイリストの記録順に従い生成すると共に、生成された該タイトルに対応する上記オブジェクトおよび上記プレイリストを新規に生成するように制御する情報処理方法をコンピュータ装置に実行させる情報処理プログラム。
【請求項１８】
コンテンツデータと、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルと、上記プレイリストの生成時に該プレイリストが属する上記タイトルを示す情報を上記プレイリストのそれぞれについて上記プレイリストの記録順に格納したテーブルとからなるデータ構造に基づき上記タイトルを表示させるように制御する表示制御部を有し、
上記インデックステーブル上の上記タイトルの並びと、上記テーブルに格納されるメニューを再生するための上記プレイリスト以外の上記プレイリストの上記タイトルを示す情報の並びとが対応しないときに、上記インデックステーブル上の上記タイトルの並びに従い上記タイトルの一覧を表示させるように制御する表示制御装置。
【請求項１９】
コンテンツデータと、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルと、上記プレイリストの生成時に該プレイリストが属する上記タイトルを示す情報を上記プレイリストのそれぞれについて上記プレイリストの記録順に格納したテーブルとからなるデータ構造に基づき上記タイトルを表示させるように制御する表示制御部を有し、
上記インデックステーブル上の上記タイトルの並びと、上記テーブルに格納されるメニューを再生するための上記プレイリスト以外の上記プレイリストの上記タイトルを示す情報の並びとが対応しないときに、上記テーブルに格納される、上記プレイリストの生成時に該プレイリストが属するタイトルを示す情報に基づき上記インデックステーブル上の上記タイトルの並びを変更し、変更された上記インデックステーブル上の上記タイトルの並びに従い、上記タイトルの一覧を表示するように制御する表示制御装置。
【請求項２０】
コンテンツデータと、該コンテンツデータの属性情報を示すクリップ情報と、該クリップ情報を呼び出すプレイリストと、該プレイリストを呼び出す上記コンテンツデータの再生方法を示すオブジェクトと、該オブジェクトを呼び出すタイトルが記述されるインデックステーブルと、上記プレイリストの生成時に該プレイリストが属する上記タイトルを示す情報を上記プレイリストのそれぞれについて上記プレイリストの記録順に格納したテーブルとからなるデータ構造に基づき上記タイトルを表示させるように制御する表示制御部を有し、
上記テーブルに格納される上記タイトルを示す情報に基づき、上記インデックステーブル上の上記タイトルの並びに、生成時の上記プレイリストに対して上記タイトルの欠番があるとされた場合、
上記プレイリストの生成時に該プレイリストが属するタイトルを示す情報に基づき、上記欠番のタイトルを上記プレイリストの記録順に従い生成すると共に、生成された該タイトルに対応する上記オブジェクトおよび上記プレイリストを新規に生成するように制御し、
上記テーブルに格納される、上記プレイリストの生成時に該プレイリストが属するタイトルを示す情報に基づき、上記タイトルおよび上記欠番のタイトルの一覧を上記記録順に従い表示するように制御する表示制御装置。
【請求項２１】
上記欠番のタイトルを、該欠番のタイトルが上記データ構造上に存在しないことを示す情報を用いて表示するように制御する請求項２０に記載の表示制御装置。
【手続補正２】
【補正対象書類名】明細書
【補正対象項目名】発明の名称
【補正方法】変更
【補正の内容】
【発明の名称】情報処理装置、情報処理方法および情報処理プログラム、ならびに、表示制御装置
【手続補正３】
【補正対象書類名】明細書
【補正対象項目名】０００１
【補正方法】変更
【補正の内容】
【０００１】
この発明は、この発明は、ＡＶ(Audio/Video)ストリームと、その再生区間や再生順序を示す再生制御情報と、その再生制御情報を指定するオブジェクトと、ソノオブジェクトを呼び出すタイトルが記述されるテーブルとを有するフォーマットを用いて記録される記録媒体と互換性を持たせ、メニュー画面を容易に作成および表示できるようにした情報処理装置、情報処理方法および情報処理プログラム、ならびに、表示制御装置に関する。
【手続補正４】
【補正対象書類名】明細書
【補正対象項目名】０００２
【補正方法】変更
【補正の内容】
【０００２】
例えばブルーレイディスク（Ｂｌｕ−ｒａｙ  Ｄｉｓｃ：登録商標）の再生専用フォーマットである「Blu-ray Disc Read-Only Format」と互換性を持たせたメニュー画面を容易に作成および表示できるようにした情報処理装置、情報処理方法および情報処理プログラム、ならびに、表示制御装置に適用することができる。
【手続補正５】
【補正対象書類名】明細書
【補正対象項目名】００２３
【補正方法】変更
【補正の内容】
【００２３】
したがって、この発明の目的は、ＢＤ−ＲＯＭ規格を記録可能な記録媒体に対して拡張した場合に、タイトルの編集に関わらずタイトル番号を維持するシステムと、タイトルの編集に際して、タイトルの記録順は保持し、タイトル番号を編集に応じて変更するシステムとが両立可能な情報処理装置、情報処理方法および情報処理プログラム、ならびに、表示制御装置を提供することにある。
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】変更
【補正の内容】
【００３３】
上述した課題を解決するために、第１の発明は、コンテンツデータを記録媒体に記録する記録部と、記録媒体からデータを再生する再生部と、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御する制御部とを有し、制御部は、コンテンツデータの記録媒体への記録に応じて、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように記録部を制御し、クリップ情報と、プレイリストと、オブジェクトと、インデックステーブルと、テーブルとからなるデータ構造をタイトル単位で編集可能に制御し、再生部により記録媒体からコンテンツデータを再生する際に、記録媒体から読み出した、インデックステーブル上のタイトルの並びと、テーブルに格納されるメニューを再生するためのプレイリスト以外のプレイリストのタイトルを示す情報の並びとが対応しないときに、プレイリストの再生を、インデックステーブル上のタイトルの並びに応じて行うように制御する情報処理装置である。
【手続補正１６】
【補正対象書類名】明細書
【補正対象項目名】００３４
【補正方法】変更
【補正の内容】
【００３４】
また、第２の発明は、コンテンツデータを記録媒体に記録する記録のステップと、記録媒体からデータを再生する再生のステップと、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御する制御のステップとを有し、制御のステップは、コンテンツデータの記録媒体への記録に応じて、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように記録のステップを制御し、クリップ情報と、プレイリストと、オブジェクトと、インデックステーブルと、テーブルとからなるデータ構造をタイトル単位で編集可能に制御し、再生のステップにより記録媒体からコンテンツデータを再生する際に、記録媒体から読み出した、インデックステーブル上のタイトルの並びと、テーブルに格納されるメニューを再生するためのプレイリスト以外のプレイリストのタイトルを示す情報の並びとが対応しないときに、プレイリストの再生を、インデックステーブル上のタイトルの並びに応じて行うように制御する情報処理方法である。
【手続補正１７】
【補正対象書類名】明細書
【補正対象項目名】００３５
【補正方法】変更
【補正の内容】
【００３５】
また、第３の発明は、コンテンツデータを記録媒体に記録する記録のステップと、記録媒体からデータを再生する再生のステップと、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御する制御のステップとを有し、制御のステップは、コンテンツデータの記録媒体への記録に応じて、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように記録のステップを制御し、クリップ情報と、プレイリストと、オブジェクトと、インデックステーブルと、テーブルとからなるデータ構造をタイトル単位で編集可能に制御し、再生のステップにより記録媒体からコンテンツデータを再生する際に、記録媒体から読み出した、インデックステーブル上のタイトルの並びと、テーブルに格納されるメニューを再生するためのプレイリスト以外のプレイリストのタイトルを示す情報の並びとが対応しないときに、プレイリストの再生を、インデックステーブル上のタイトルの並びに応じて行うように制御する情報処理方法をコンピュータ装置に実行させる情報処理プログラムである。
【手続補正１８】
【補正対象書類名】明細書
【補正対象項目名】００３６
【補正方法】変更
【補正の内容】
【００３６】
また、第４の発明は、コンテンツデータを記録媒体に記録する記録部と、記録媒体からデータを再生する再生部と、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御する制御部とを有し、制御部は、コンテンツデータの記録媒体への記録に応じて、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように記録部を制御し、クリップ情報と、プレイリストと、オブジェクトと、インデックステーブルと、テーブルとからなるデータ構造をタイトル単位で編集可能に制御し、再生部により記録媒体からコンテンツデータを再生する際に、記録媒体から読み出した、インデックステーブル上のタイトルの並びと、テーブルに格納されるメニューを再生するためのプレイリスト以外のプレイリストのタイトルを示す情報の並びとが対応しないときに、テーブルに格納される、プレイリストの生成時にプレイリストが属するタイトルを示す情報に基づき、インデックステーブル上のタイトルの並びを変更するように制御する情報処理装置である。
【手続補正１９】
【補正対象書類名】明細書
【補正対象項目名】００３７
【補正方法】変更
【補正の内容】
【００３７】
また、第５の発明は、コンテンツデータを記録媒体に記録する記録のステップと、記録媒体からデータを再生する再生のステップと、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御する制御のステップとを有し、制御のステップは、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように記録のステップを制御し、クリップ情報と、プレイリストと、オブジェクトと、インデックステーブルと、テーブルとからなるデータ構造をタイトル単位で編集可能に制御し、再生のステップにより記録媒体からコンテンツデータを再生する際に、記録媒体から読み出した、インデックステーブル上のタイトルの並びと、テーブルに格納されるメニューを再生するためのプレイリスト以外のプレイリストのタイトルを示す情報の並びとが対応しないときに、テーブルに格納される、プレイリストの生成時にプレイリストが属するタイトルを示す情報に基づき、インデックステーブル上のタイトルの並びを変更するように制御する情報処理方法である。
【手続補正２０】
【補正対象書類名】明細書
【補正対象項目名】００３８
【補正方法】変更
【補正の内容】
【００３８】
また、第６の発明は、コンテンツデータを記録媒体に記録する記録のステップと、記録媒体からデータを再生する再生のステップと、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御する制御のステップとを有し、制御のステップは、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように記録のステップを制御し、クリップ情報と、プレイリストと、オブジェクトと、インデックステーブルと、テーブルとからなるデータ構造をタイトル単位で編集可能に制御し、再生のステップにより記録媒体からコンテンツデータを再生する際に、記録媒体から読み出した、インデックステーブル上のタイトルの並びと、テーブルに格納されるメニューを再生するためのプレイリスト以外のプレイリストのタイトルを示す情報の並びとが対応しないときに、テーブルに格納される、プレイリストの生成時にプレイリストが属するタイトルを示す情報に基づき、インデックステーブル上のタイトルの並びを変更するように制御する情報処理方法をコンピュータ装置に実行させる情報処理プログラムである。
【手続補正２１】
【補正対象書類名】明細書
【補正対象項目名】００３９
【補正方法】変更
【補正の内容】
【００３９】
また、第７の発明は、コンテンツデータを記録媒体に記録する記録部と、記録媒体からデータを再生する再生部と、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御する制御部とを有し、制御部は、コンテンツデータの記録媒体への記録に応じて、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように記録部を制御し、クリップ情報と、プレイリストと、オブジェクトと、インデックステーブルと、テーブルとからなるデータ構造をタイトル単位で編集可能に制御し、再生部により記録媒体からコンテンツデータを再生する際に、テーブルに格納されるタイトルを示す情報に基づき、インデックステーブル上のタイトルの並びに、生成時のプレイリストに対してタイトルの欠番があるとされた場合、プレイリストの生成時にプレイリストが属するタイトルを示す情報に基づき、欠番のタイトルをプレイリストの記録順に従い生成すると共に、生成されたタイトルに対応するオブジェクトおよびプレイリストを新規に生成するように制御する情報処理装置である。
【手続補正２２】
【補正対象書類名】明細書
【補正対象項目名】００４０
【補正方法】変更
【補正の内容】
【００４０】
また、第８の発明は、コンテンツデータを記録媒体に記録する記録のステップと、記録媒体からデータを再生する再生のステップと、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御する制御のステップとを有し、制御のステップは、コンテンツデータの記録媒体への記録に応じて、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように記録のステップを制御し、クリップ情報と、プレイリストと、オブジェクトと、インデックステーブルと、テーブルとからなるデータ構造をタイトル単位で編集可能に制御し、再生のステップにより記録媒体からコンテンツデータを再生する際に、テーブルに格納されるタイトルを示す情報に基づき、インデックステーブル上のタイトルの並びに、生成時のプレイリストに対してタイトルの欠番があるとされた場合、プレイリストの生成時にプレイリストが属するタイトルを示す情報に基づき、欠番のタイトルをプレイリストの記録順に従い生成すると共に、生成されたタイトルに対応するオブジェクトおよびプレイリストを新規に生成するように制御する情報処理方法である。
【手続補正２３】
【補正対象書類名】明細書
【補正対象項目名】００４１
【補正方法】変更
【補正の内容】
【００４１】
また、第９の発明は、コンテンツデータを記録媒体に記録する記録のステップと、記録媒体からデータを再生する再生のステップと、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御する制御のステップとを有し、制御のステップは、コンテンツデータの記録媒体への記録に応じて、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように記録のステップを制御し、クリップ情報と、プレイリストと、オブジェクトと、インデックステーブルと、テーブルとからなるデータ構造をタイトル単位で編集可能に制御し、再生のステップにより記録媒体からコンテンツデータを再生する際に、テーブルに格納されるタイトルを示す情報に基づき、インデックステーブル上のタイトルの並びに、生成時のプレイリストに対してタイトルの欠番があるとされた場合、プレイリストの生成時にプレイリストが属するタイトルを示す情報に基づき、欠番のタイトルをプレイリストの記録順に従い生成すると共に、生成されたタイトルに対応するオブジェクトおよびプレイリストを新規に生成するように制御する情報処理方法をコンピュータ装置に実行させる情報処理プログラムである。
【手続補正２４】
【補正対象書類名】明細書
【補正対象項目名】００４２
【補正方法】削除
【補正の内容】
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】００４５
【補正方法】削除
【補正の内容】
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】削除
【補正の内容】
【手続補正３０】
【補正対象書類名】明細書
【補正対象項目名】００４８
【補正方法】削除
【補正の内容】
【手続補正３１】
【補正対象書類名】明細書
【補正対象項目名】００４９
【補正方法】削除
【補正の内容】
【手続補正３２】
【補正対象書類名】明細書
【補正対象項目名】００５０
【補正方法】削除
【補正の内容】
【手続補正３３】
【補正対象書類名】明細書
【補正対象項目名】００５１
【補正方法】変更
【補正の内容】
【００５１】
また、第１０の発明は、コンテンツデータと、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルと、プレイリストの生成時にプレイリストが属するタイトルを示す情報をプレイリストのそれぞれについてプレイリストの記録順に格納したテーブルとからなるデータ構造に基づきタイトルを表示させるように制御する表示制御部を有し、インデックステーブル上のタイトルの並びと、テーブルに格納されるメニューを再生するためのプレイリスト以外のプレイリストのタイトルを示す情報の並びとが対応しないときに、インデックステーブル上のタイトルの並びに従いタイトルの一覧を表示させるように制御する表示制御装置である。
【手続補正３４】
【補正対象書類名】明細書
【補正対象項目名】００５２
【補正方法】変更
【補正の内容】
【００５２】
また、第１１の発明は、コンテンツデータと、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルと、プレイリストの生成時にプレイリストが属するタイトルを示す情報をプレイリストのそれぞれについてプレイリストの記録順に格納したテーブルとからなるデータ構造に基づきタイトルを表示させるように制御する表示制御部を有し、インデックステーブル上のタイトルの並びと、テーブルに格納されるメニューを再生するためのプレイリスト以外のプレイリストのタイトルを示す情報の並びとが対応しないときに、テーブルに格納される、プレイリストの生成時にプレイリストが属するタイトルを示す情報に基づきインデックステーブル上のタイトルの並びを変更し、変更されたインデックステーブル上のタイトルの並びに従い、タイトルの一覧を表示するように制御する表示制御装置である。
【手続補正３５】
【補正対象書類名】明細書
【補正対象項目名】００５３
【補正方法】変更
【補正の内容】
【００５３】
また、第１２の発明は、コンテンツデータと、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルと、プレイリストの生成時にプレイリストが属するタイトルを示す情報をプレイリストのそれぞれについてプレイリストの記録順に格納したテーブルとからなるデータ構造に基づきタイトルを表示させるように制御する表示制御部を有し、テーブルに格納されるタイトルを示す情報に基づき、インデックステーブル上のタイトルの並びに、生成時のプレイリストに対してタイトルの欠番があるとされた場合、プレイリストの生成時にプレイリストが属するタイトルを示す情報に基づき、欠番のタイトルをプレイリストの記録順に従い生成すると共に、生成されたタイトルに対応するオブジェクトおよびプレイリストを新規に生成するように制御し、テーブルに格納される、プレイリストの生成時にプレイリストが属するタイトルを示す情報に基づき、タイトルおよび欠番のタイトルの一覧を記録順に従い表示するように制御する表示制御装置である。
【手続補正３６】
【補正対象書類名】明細書
【補正対象項目名】００５４
【補正方法】削除
【補正の内容】
【手続補正３７】
【補正対象書類名】明細書
【補正対象項目名】００５５
【補正方法】削除
【補正の内容】
【手続補正３８】
【補正対象書類名】明細書
【補正対象項目名】００５６
【補正方法】削除
【補正の内容】
【手続補正３９】
【補正対象書類名】明細書
【補正対象項目名】００５７
【補正方法】変更
【補正の内容】
【００５７】
上述したように、第１、第２および第３の発明は、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御し、コンテンツデータの記録媒体への記録に応じて、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように制御し、クリップ情報と、プレイリストと、オブジェクトと、インデックステーブルと、テーブルとからなるデータ構造をタイトル単位で編集可能に制御し、記録媒体からコンテンツデータを再生する際に、記録媒体から読み出した、インデックステーブル上のタイトルの並びと、テーブルに格納されるメニューを再生するためのプレイリスト以外のプレイリストのタイトルを示す情報の並びとが対応しないときに、プレイリストの再生を、インデックステーブル上のタイトルの並びに応じて行うように制御しているため、プレイリストの生成時以後にタイトルが削除されていても、タイトルを選択し再生させることができる。
【手続補正４０】
【補正対象書類名】明細書
【補正対象項目名】００５８
【補正方法】変更
【補正の内容】
【００５８】
また、第４、第５および第６の発明は、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御し、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように制御し、クリップ情報と、プレイリストと、オブジェクトと、インデックステーブルと、テーブルとからなるデータ構造をタイトル単位で編集可能に制御し、記録媒体からコンテンツデータを再生する際に、記録媒体から読み出した、インデックステーブル上のタイトルの並びと、テーブルに格納されるメニューを再生するためのプレイリスト以外のプレイリストのタイトルを示す情報の並びとが対応しないときに、テーブルに格納される、プレイリストの生成時にプレイリストが属するタイトルを示す情報に基づき、インデックステーブル上のタイトルの並びを変更するように制御しているため、プレイリストの作成時以後にタイトルが削除されていても、記録順を維持してタイトルを再生できる。
【手続補正４１】
【補正対象書類名】明細書
【補正対象項目名】００５９
【補正方法】変更
【補正の内容】
【００５９】
また、第７、第８および第９の発明は、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御し、コンテンツデータの記録媒体への記録に応じて、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように制御し、クリップ情報と、プレイリストと、オブジェクトと、インデックステーブルと、テーブルとからなるデータ構造をタイトル単位で編集可能に制御し、記録媒体からコンテンツデータを再生する際に、テーブルに格納されるタイトルを示す情報に基づき、インデックステーブル上のタイトルの並びに、生成時のプレイリストに対してタイトルの欠番があるとされた場合、プレイリストの生成時にプレイリストが属するタイトルを示す情報に基づき、欠番のタイトルをプレイリストの記録順に従い生成すると共に、生成されたタイトルに対応するオブジェクトおよびプレイリストを新規に生成するように制御しているため、プレイリストの作成時以後に削除されたタイトルを知ることができる。
【手続補正４２】
【補正対象書類名】明細書
【補正対象項目名】００６０
【補正方法】削除
【補正の内容】
【手続補正４３】
【補正対象書類名】明細書
【補正対象項目名】００６１
【補正方法】削除
【補正の内容】
【手続補正４４】
【補正対象書類名】明細書
【補正対象項目名】００６２
【補正方法】削除
【補正の内容】
【手続補正４５】
【補正対象書類名】明細書
【補正対象項目名】００６３
【補正方法】変更
【補正の内容】
【００６３】
また、第１０の発明は、コンテンツデータと、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルと、プレイリストの生成時にプレイリストが属するタイトルを示す情報をプレイリストのそれぞれについてプレイリストの記録順に格納したテーブルとからなるデータ構造に基づきタイトルを表示させるように制御し、インデックステーブル上のタイトルの並びと、テーブルに格納されるメニューを再生するためのプレイリスト以外のプレイリストのタイトルを示す情報の並びとが対応しないときに、テーブルに格納される、プレイリストの生成時にプレイリストが属するタイトルを示す情報に基づきインデックステーブル上のタイトルの並びを変更し、変更されたインデックステーブル上のタイトルの並びに従い、タイトルの一覧を表示するように制御しているため、プレイリストの生成時以後にタイトルが削除されていても、タイトルを選択するメニューを表示できる。
【手続補正４６】
【補正対象書類名】明細書
【補正対象項目名】００６４
【補正方法】変更
【補正の内容】
【００６４】
また、第１１の発明は、コンテンツデータと、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルと、プレイリストの生成時にプレイリストが属するタイトルを示す情報をプレイリストのそれぞれについてプレイリストの記録順に格納したテーブルとからなるデータ構造に基づきタイトルを表示させるように制御し、インデックステーブル上のタイトルの並びと、テーブルに格納されるメニューを再生するためのプレイリスト以外のプレイリストのタイトルを示す情報の並びとが対応しないときに、テーブルに格納される、プレイリストの生成時にプレイリストが属するタイトルを示す情報に基づきインデックステーブル上のタイトルの並びを変更し、変更されたインデックステーブル上のタイトルの並びに従い、タイトルの一覧を表示するように制御しているため、プレイリストの作成時以後にタイトルが削除されていてもタイトルの記録順を維持したメニューを表示できる。
【手続補正４７】
【補正対象書類名】明細書
【補正対象項目名】００６５
【補正方法】変更
【補正の内容】
【００６５】
また、第１２の発明は、コンテンツデータと、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルと、プレイリストの生成時にプレイリストが属するタイトルを示す情報をプレイリストのそれぞれについてプレイリストの記録順に格納したテーブルとからなるデータ構造に基づきタイトルを表示させるように制御し、テーブルに格納されるタイトルを示す情報に基づき、インデックステーブル上のタイトルの並びに、生成時のプレイリストに対してタイトルの欠番があるとされた場合、プレイリストの生成時にプレイリストが属するタイトルを示す情報に基づき、欠番のタイトルをプレイリストの記録順に従い生成すると共に、生成されたタイトルに対応するオブジェクトおよびプレイリストを新規に生成するように制御し、テーブルに格納される、プレイリストの生成時にプレイリストが属するタイトルを示す情報に基づき、タイトルおよび欠番のタイトルの一覧を記録順に従い表示するように制御しているため、プレイリストの作成時以後に削除されたタイトルを表示で示すことができる。
【手続補正４８】
【補正対象書類名】明細書
【補正対象項目名】００６６
【補正方法】削除
【補正の内容】
【手続補正４９】
【補正対象書類名】明細書
【補正対象項目名】００６７
【補正方法】削除
【補正の内容】
【手続補正５０】
【補正対象書類名】明細書
【補正対象項目名】００６８
【補正方法】削除
【補正の内容】
【手続補正５１】
【補正対象書類名】明細書
【補正対象項目名】００６９
【補正方法】変更
【補正の内容】
【００６９】
第１、第２および第３の発明は、上述したように、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御し、コンテンツデータの記録媒体への記録に応じて、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように制御し、クリップ情報と、プレイリストと、オブジェクトと、インデックステーブルと、テーブルとからなるデータ構造をタイトル単位で編集可能に制御し、記録媒体からコンテンツデータを再生する際に、記録媒体から読み出した、インデックステーブル上のタイトルの並びと、テーブルに格納されるメニューを再生するためのプレイリスト以外のプレイリストのタイトルを示す情報の並びとが対応しないときに、プレイリストの再生を、インデックステーブル上のタイトルの並びに応じて行うように制御しているため、プレイリストの生成時以後にタイトルが削除されていても、タイトルを選択し再生させることができるという効果がある。
【手続補正５２】
【補正対象書類名】明細書
【補正対象項目名】００７０
【補正方法】変更
【補正の内容】
【００７０】
また、第４、第５および第６の発明は、上述したように、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御し、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように制御し、クリップ情報と、プレイリストと、オブジェクトと、インデックステーブルと、テーブルとからなるデータ構造をタイトル単位で編集可能に制御し、記録媒体からコンテンツデータを再生する際に、記録媒体から読み出した、インデックステーブル上のタイトルの並びと、テーブルに格納されるメニューを再生するためのプレイリスト以外のプレイリストのタイトルを示す情報の並びとが対応しないときに、テーブルに格納される、プレイリストの生成時にプレイリストが属するタイトルを示す情報に基づき、インデックステーブル上のタイトルの並びを変更するように制御しているため、プレイリストの作成時以後にタイトルが削除されていても、記録順を維持してタイトルを再生できるという効果がある。
【手続補正５３】
【補正対象書類名】明細書
【補正対象項目名】００７１
【補正方法】変更
【補正の内容】
【００７１】
また、第７、第８および第９の発明は、上述したように、記録媒体に記録されるコンテンツデータに対し、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルとを生成するように制御し、コンテンツデータの記録媒体への記録に応じて、プレイリストの生成時にプレイリストが属するタイトルを示す情報をプレイリストのそれぞれについてプレイリストの記録順に格納するテーブルを生成し、クリップ情報と、プレイリストと、オブジェクトと、インデックステーブルと、テーブルとを記録媒体に記録するように制御し、クリップ情報と、プレイリストと、オブジェクトと、インデックステーブルと、テーブルとからなるデータ構造をタイトル単位で編集可能に制御し、記録媒体からコンテンツデータを再生する際に、テーブルに格納されるタイトルを示す情報に基づき、インデックステーブル上のタイトルの並びに、生成時のプレイリストに対してタイトルの欠番があるとされた場合、プレイリストの生成時にプレイリストが属するタイトルを示す情報に基づき、欠番のタイトルをプレイリストの記録順に従い生成すると共に、生成されたタイトルに対応するオブジェクトおよびプレイリストを新規に生成するように制御しているため、プレイリストの作成時以後に削除されたタイトルを知ることができるという効果がある。
【手続補正５４】
【補正対象書類名】明細書
【補正対象項目名】００７２
【補正方法】削除
【補正の内容】
【手続補正５５】
【補正対象書類名】明細書
【補正対象項目名】００７３
【補正方法】削除
【補正の内容】
【手続補正５６】
【補正対象書類名】明細書
【補正対象項目名】００７４
【補正方法】削除
【補正の内容】
【手続補正５７】
【補正対象書類名】明細書
【補正対象項目名】００７５
【補正方法】変更
【補正の内容】
【００７５】
また、第１０の発明は、上述したように、コンテンツデータと、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルと、プレイリストの生成時にプレイリストが属するタイトルを示す情報をプレイリストのそれぞれについてプレイリストの記録順に格納したテーブルとからなるデータ構造に基づきタイトルを表示させるように制御し、インデックステーブル上のタイトルの並びと、テーブルに格納されるメニューを再生するためのプレイリスト以外のプレイリストのタイトルを示す情報の並びとが対応しないときに、テーブルに格納される、プレイリストの生成時にプレイリストが属するタイトルを示す情報に基づきインデックステーブル上のタイトルの並びを変更し、変更されたインデックステーブル上のタイトルの並びに従い、タイトルの一覧を表示するように制御しているため、プレイリストの生成時以後にタイトルが削除されていても、タイトルを選択するメニューを表示できるという効果がある。
【手続補正５８】
【補正対象書類名】明細書
【補正対象項目名】００７６
【補正方法】変更
【補正の内容】
【００７６】
また、第１１の発明は、上述したように、コンテンツデータと、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルと、プレイリストの生成時にプレイリストが属するタイトルを示す情報をプレイリストのそれぞれについてプレイリストの記録順に格納したテーブルとからなるデータ構造に基づきタイトルを表示させるように制御し、インデックステーブル上のタイトルの並びと、テーブルに格納されるメニューを再生するためのプレイリスト以外のプレイリストのタイトルを示す情報の並びとが対応しないときに、テーブルに格納される、プレイリストの生成時にプレイリストが属するタイトルを示す情報に基づきインデックステーブル上のタイトルの並びを変更し、変更されたインデックステーブル上のタイトルの並びに従い、タイトルの一覧を表示するように制御しているため、プレイリストの作成時以後にタイトルが削除されていてもタイトルの記録順を維持したメニューを表示できるという効果がある。
【手続補正５９】
【補正対象書類名】明細書
【補正対象項目名】００７７
【補正方法】変更
【補正の内容】
【００７７】
また、第１２の発明は、上述したように、コンテンツデータと、コンテンツデータの属性情報を示すクリップ情報と、クリップ情報を呼び出すプレイリストと、プレイリストを呼び出すコンテンツデータの再生方法を示すオブジェクトと、オブジェクトを呼び出すタイトルが記述されるインデックステーブルと、プレイリストの生成時にプレイリストが属するタイトルを示す情報をプレイリストのそれぞれについてプレイリストの記録順に格納したテーブルとからなるデータ構造に基づきタイトルを表示させるように制御し、テーブルに格納されるタイトルを示す情報に基づき、インデックステーブル上のタイトルの並びに、生成時のプレイリストに対してタイトルの欠番があるとされた場合、プレイリストの生成時にプレイリストが属するタイトルを示す情報に基づき、欠番のタイトルをプレイリストの記録順に従い生成すると共に、生成されたタイトルに対応するオブジェクトおよびプレイリストを新規に生成するように制御し、テーブルに格納される、プレイリストの生成時にプレイリストが属するタイトルを示す情報に基づき、タイトルおよび欠番のタイトルの一覧を記録順に従い表示するように制御しているため、プレイリストの作成時以後に削除されたタイトルを表示で示すことができるという効果がある。